(57)【要約】【課題】本発明はクレヨンの挟持器を開示した。    【解決手段】箱主体を含み、前記箱主体の中には右方へ開口した吊りチャンバが設置され、前記吊りチャンバの底壁の中には吊りロッドが回転できるように装着され、前記吊りロッドには四つの第一吊りブロックが固定的に装着され、前記第一吊りブロックの中には第二吊りブロックがスライドできるように装着され、ボタンを押し、ボタンがボタンロッドにより移動板を連動させて下方へ移動させ、クレヨンをクレヨンチャンバの中に置き、各色のクレヨンを別々に置くことができ、クレヨンの色が混ざることを避け、クレヨンを使用して絵を描く過程の中で、クレヨンがクレヨンチャンバの中に保護されるため、力を出しすぎるとクレヨンが折れる状況が発生しない。【選択図】図１
2020183094.tif 000002
【特許請求の範囲】
【請求項１】
正面視で、箱主体を含み、前記箱主体の中には右方へ開口した吊りチャンバが設置され、前記吊りチャンバの底壁の中には吊りロッドが回転できるように装着され、前記吊りロッドには四つの第一吊りブロックが固定的に装着され、前記第一吊りブロックの中には第二吊りブロックがスライドできるように装着され、前記第二吊りブロックには挟持箱が固定的に装着され、前記挟持箱の中にはネジ山チャンバが設置され、前記ネジ山チャンバの中にはネジ山ブロックがスライドできるように装着され、前記ネジ山ブロックの中には上方へ開口したネジ山孔が設置され、前記ネジ山チャンバの頂壁の中にはネジ山ロッドが回転できるように装着され、前記ネジ山ロッドが前記ネジ山孔とネジ山により装着され、前記ネジ山ロッドの頂部端面にはつまみが固定的に装着され、前記ネジ山ブロックの底部端面にはクレヨンを推し動かすことができる推し動かしロッドが固定的に装着され、前記ネジ山チャンバの中の前記ネジ山ブロックの下方に位置しているところには固定ブロックがスライドできるように装着され、前記固定ブロックの中にはクレヨンを置くことができるクレヨンチャンバが設置され、前記固定ブロックの右側端面にはばねチャンバが前後対称的に設置され、前記ばねチャンバの中には連結ブロックがスライドできるように装着され、前記連結ブロックと前記ばねチャンバとの間には第一ばねが固定的に装着され、前記連結ブロックには挟みブロックが固定的に装着され、前側の前記挟みブロックの後側端面には引っ掛かりブロックが固定的に装着され、後側の前記挟みブロックの前側端面の中には引っ掛かり溝が設置され、前記引っ掛かりブロックが前記引っ掛かり溝の中に引っ掛かることができ、前後の前記挟みブロックはクレヨンをきつく挟むことができ、クレヨンの滑り落ちることを防止し、クレヨンの先端を使い終わった後、つまみを回転させてネジ山ロッドを連動させて回転させ、ネジ山ロッドが回転することにより推し動かしロッドが下方へ移動し、クレヨンを推し動かして下方へ移動させ、前記挟持箱の中にはまた前記固定ブロックを推し動かして移動させることができる推し動かし機構が設置され、前記箱主体の中にはまた前記吊りロッドの回転に動力を提供できる動力機構が設置され、前記動力機構は前記箱主体の頂部端面の中に設置されたボタンチャンバを含み、前記ボタンチャンバの中にはボタンがスライドできるように装着され、前記ボタンを押して前記吊りロッドの回転に動力を提供することを特徴とするクレヨンの挟持器。
【請求項２】
前記動力機構はまた前記ボタンチャンバの下方に設置された移動チャンバを含み、前記移動チャンバの中には移動板がスライドできるように装着され、前記ボタンの底部端面にはボタンロッドが固定的に装着され、前記ボタンロッドが前記移動板と固定的に連結され、前記移動板の底部端面と前記移動チャンバの底壁との間には第二ばねが固定的に装着され、前記移動チャンバの左側には補助チャンバが連通するように設置され、前記補助チャンバの下方にはラチェットギヤチャンバが設置され、前記補助チャンバの頂壁の中には前記チェットギヤチャンバの頂壁を貫通している補助ロッドが回転できるように装着され、前記補助ロッドには回転ブロックが固定的に装着され、前記回転ブロックの中には回転溝が設置され、前記回転溝が前記移動板とスライドできるように装着され、前記補助ロッドの底部端面にはチェットギヤが固定的に装着され、前記チェットギヤチャンバの下方には回転チャンバが設置され、前記チェットギヤの底部端面には前記回転チャンバの頂壁を貫通している連結ロッドが固定的に装着され、前記連結ロッドの底部端面には回しロッドが固定的に装着され、前記吊りロッドが上方へ伸びて前記回転チャンバの底壁を貫通しており、前記吊りロッドの頂部端面には回転盤が固定的に装着され、前記回転盤の中には四つの回転盤溝が設置され、前記回転盤溝が前記回しロッドの中でスライドできることを特徴とする請求項１に記載のクレヨンの挟持器。
【請求項３】
前記推し動かし機構は前記ネジ山チャンバの両側に前後対称的に設置された推し動かしチャンバを含み、前記推し動かしチャンバの中には推し動かし板がスライドできるように装着され、前記推し動かし板が前記固定ブロックと固定的に連結され、前記推し動かし板の底部端面と前記推し動かしチャンバの底壁との間には第三ばねが固定的に装着され、前記推し動かしチャンバの下方には挿し溝が連通するように設置され、前記推し動かし板の底部端面には挿し板が固定的に装着され、前記挿し板が前記挿し溝とスライドできるように装着されていることを特徴とする請求項１に記載のクレヨンの挟持器。
【発明の詳細な説明】
【技術分野】
【０００１】
本発明は挟持器分野を取り上げて、具体的にはクレヨンの挟持器である。
【背景技術】
【０００２】
クレヨンを使用する過程の中で、いつも指が力を入れすぎるため、クレヨンが折られ、クレヨンの浪費をもたらし、しかも一般的なクレヨンケースが色とりどりのクレヨンを混ざって一緒に置き、クレヨンの色が混ざることをもたらす。
【先行技術文献】
【特許文献】
【０００３】
【特許文献１】中国特許出願公開第１０４００２３０８号明細書
【発明の概要】
【発明が解決しようとする課題】
【０００４】
本発明はクレヨンの挟持器を提供し、従来技術における上記欠点を解消することを目的とする。
【課題を解決するための手段】
【０００５】
本発明の実施例のクレヨンの挟持器は、箱主体を含み、前記箱主体の中には右方へ開口した吊りチャンバが設置され、前記吊りチャンバの底壁の中には吊りロッドが回転できるように装着され、前記吊りロッドには四つの第一吊りブロックが固定的に装着され、前記第一吊りブロックの中には第二吊りブロックがスライドできるように装着され、前記第二吊りブロックには挟持箱が固定的に装着され、前記挟持箱の中にはネジ山チャンバが設置され、前記ネジ山チャンバの中にはネジ山ブロックがスライドできるように装着され、前記ネジ山ブロックの中には上方へ開口したネジ山孔が設置され、前記ネジ山チャンバの頂壁の中にはネジ山ロッドが回転できるように装着され、前記ネジ山ロッドが前記ネジ山孔とネジ山により装着され、前記ネジ山ロッドの頂部端面にはつまみが固定的に装着され、前記ネジ山ブロックの底部端面にはクレヨンを推し動かすことができる推し動かしロッドが固定的に装着され、前記ネジ山チャンバの中の前記ネジ山ブロックの下方に位置しているところには固定ブロックがスライドできるように装着され、前記固定ブロックの中にはクレヨンを置くことができるクレヨンチャンバが設置され、前記固定ブロックの右側端面にはばねチャンバが前後対称的に設置され、前記ばねチャンバの中には連結ブロックがスライドできるように装着され、前記連結ブロックと前記ばねチャンバとの間には第一ばねが固定的に装着され、前記連結ブロックには挟みブロックが固定的に装着され、前側の前記挟みブロックの後側端面には引っ掛かりブロックが固定的に装着され、後側の前記挟みブロックの前側端面の中には引っ掛かり溝が設置され、前記引っ掛かりブロックが前記引っ掛かり溝の中に引っ掛かることができ、前後の前記挟みブロックはクレヨンをきつく挟むことができ、クレヨンの滑り落ちることを防止し、クレヨンの先端を使い終わった後、つまみを回転させてネジ山ロッドを連動させて回転させ、ネジ山ロッドが回転することにより推し動かしロッドが下方へ移動し、クレヨンを推し動かして下方へ移動させ、前記挟持箱の中にはまた前記固定ブロックを推し動かして移動させることができる推し動かし機構が設置され、前記箱主体の中にはまた前記吊りロッドの回転に動力を提供できる動力機構が設置され、前記動力機構は前記箱主体の頂部端面の中に設置されたボタンチャンバを含み、前記ボタンチャンバの中にはボタンがスライドできるように装着され、前記ボタンを押して前記吊りロッドの回転に動力を提供する。
【０００６】
更の技術プランとしては、前記動力機構はまた前記ボタンチャンバの下方に設置された移動チャンバを含み、前記移動チャンバの中には移動板がスライドできるように装着され、前記ボタンの底部端面にはボタンロッドが固定的に装着され、前記ボタンロッドが前記移動板と固定的に連結され、前記移動板の底部端面と前記移動チャンバの底壁との間には第二ばねが固定的に装着され、前記移動チャンバの左側には補助チャンバが連通するように設置され、前記補助チャンバの下方にはラチェットギヤチャンバが設置され、前記補助チャンバの頂壁の中には前記チェットギヤチャンバの頂壁を貫通している補助ロッドが回転できるように装着され、前記補助ロッドには回転ブロックが固定的に装着され、前記回転ブロックの中には回転溝が設置され、前記回転溝が前記移動板とスライドできるように装着され、前記補助ロッドの底部端面にはチェットギヤが固定的に装着され、前記チェットギヤチャンバの下方には回転チャンバが設置され、前記チェットギヤの底部端面には前記回転チャンバの頂壁を貫通している連結ロッドが固定的に装着され、前記連結ロッドの底部端面には回しロッドが固定的に装着され、前記吊りロッドが上方へ伸びて前記回転チャンバの底壁を貫通しており、前記吊りロッドの頂部端面には回転盤が固定的に装着され、前記回転盤の中には四つの回転盤溝が設置され、前記回転盤溝が前記回しロッドの中でスライドできる。
【０００７】
更の技術プランとしては、前記推し動かし機構は前記ネジ山チャンバの両側に前後対称的に設置された推し動かしチャンバを含み、前記推し動かしチャンバの中には推し動かし板がスライドできるように装着され、前記推し動かし板が前記固定ブロックと固定的に連結され、前記推し動かし板の底部端面と前記推し動かしチャンバの底壁との間には第三ばねが固定的に装着され、前記推し動かしチャンバの下方には挿し溝が連通するように設置され、前記推し動かし板の底部端面には挿し板が固定的に装着され、前記挿し板が前記挿し溝とスライドできるように装着されている。
【発明の効果】
【０００８】
本発明の有益効果は：本発明はクレヨンをクレヨンチャンバの中に置き、各色のクレヨンを別々に置くことができ、クレヨンの色が混ざることを避け、クレヨンを使用して絵を描く過程の中で、クレヨンがクレヨンチャンバの中に保護されるため、力を出しすぎるとクレヨンが折れる状況が発生せず、普及する価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は図１の中のＡ−Ａ方向の断面構成模式図
【図３】図３は図１の中のＢの拡大模式図
【図４】図４は図２の中のＣ−Ｃ方向の断面構成模式図
【発明を実施するための形態】
【００１１】
図１〜４を参照し、本発明の実施例のクレヨンの挟持器は、箱主体１１を含み、前記箱主体１１の中には右方へ開口した吊りチャンバ１３が設置され、前記吊りチャンバ１３の底壁の中には吊りロッド２０が回転できるように装着され、前記吊りロッド２０には四つの第一吊りブロック１８が固定的に装着され、前記第一吊りブロック１８の中には第二吊りブロック１９がスライドできるように装着され、前記第二吊りブロック１９には挟持箱１７が固定的に装着され、前記挟持箱１７の中にはネジ山チャンバ５１が設置され、前記ネジ山チャンバ５１の中にはネジ山ブロック４１がスライドできるように装着され、前記ネジ山ブロック４１の中には上方へ開口したネジ山孔４０が設置され、前記ネジ山チャンバ５１の頂壁の中にはネジ山ロッド４２が回転できるように装着され、前記ネジ山ロッド４２が前記ネジ山孔４０とネジ山により装着され、前記ネジ山ロッド４２の頂部端面にはつまみ１４が固定的に装着され、前記ネジ山ブロック４１の底部端面にはクレヨンを推し動かすことができる推し動かしロッド３９が固定的に装着され、前記ネジ山チャンバ５１の中の前記ネジ山ブロック４１の下方に位置しているところには固定ブロック３７がスライドできるように装着され、前記固定ブロック３７の中にはクレヨンを置くことができるクレヨンチャンバ３８が設置され、前記固定ブロック３７の右側端面にはばねチャンバ３１が前後対称的に設置され、前記ばねチャンバ３１の中には連結ブロック３０がスライドできるように装着され、前記連結ブロック３０と前記ばねチャンバ３１との間には第一ばね３３が固定的に装着され、前記連結ブロック３０には挟みブロック３４が固定的に装着され、前側の前記挟みブロック３４の後側端面には引っ掛かりブロック３５が固定的に装着され、後側の前記挟みブロック３４の前側端面の中には引っ掛かり溝３６が設置され、前記引っ掛かりブロック３５が前記引っ掛かり溝３６の中に引っ掛かることができ、前後の前記挟みブロック３４はクレヨンをきつく挟むことができ、クレヨンの滑り落ちることを防止し、クレヨンの先端を使い終わった後、つまみ１４を回転させてネジ山ロッド４２を連動させて回転させ、ネジ山ロッド４２が回転することにより推し動かしロッド３９が下方へ移動し、クレヨンを推し動かして下方へ移動させ、前記挟持箱１７の中にはまた前記固定ブロック３７を推し動かして移動させることができる推し動かし機構７０が設置され、前記箱主体１１の中にはまた前記吊りロッド２０の回転に動力を提供できる動力機構８０が設置され、前記動力機構８０は前記箱主体１１の頂部端面の中に設置されたボタンチャンバ２３を含み、前記ボタンチャンバ２３の中にはボタン２５がスライドできるように装着され、前記ボタン２５を押して前記吊りロッド２０の回転に動力を提供する。
【００１２】
前記動力機構８０はまた前記ボタンチャンバ２３の下方に設置された移動チャンバ２２を含み、前記移動チャンバ２２の中には移動板２６がスライドできるように装着され、前記ボタン２５の底部端面にはボタンロッド２４が固定的に装着され、前記ボタンロッド２４が前記移動板２６と固定的に連結され、前記移動板２６の底部端面と前記移動チャンバ２２の底壁との間には第二ばね２７が固定的に装着され、前記移動チャンバ２２の左側には補助チャンバ４５が連通するように設置され、前記補助チャンバ４５の下方にはラチェットギヤチャンバ４７が設置され、前記補助チャンバ４５の頂壁の中には前記チェットギヤチャンバ４７の頂壁を貫通している補助ロッド４６が回転できるように装着され、前記補助ロッド４６には回転ブロック４４が固定的に装着され、前記回転ブロック４４の中には回転溝４３が設置され、前記回転溝４３が前記移動板２６とスライドできるように装着され、前記補助ロッド４６の底部端面にはチェットギヤ４８が固定的に装着され、前記チェットギヤチャンバ４７の下方には回転チャンバ１２が設置され、前記チェットギヤ４８の底部端面には前記回転チャンバ１２の頂壁を貫通している連結ロッド４９が固定的に装着され、前記連結ロッド４９の底部端面には回しロッド５０が固定的に装着され、前記吊りロッド２０が上方へ伸びて前記回転チャンバ１２の底壁を貫通しており、前記吊りロッド２０の頂部端面には回転盤２１が固定的に装着され、前記回転盤２１の中には四つの回転盤溝５２が設置され、前記回転盤溝５２が前記回しロッド５０の中でスライドでき、ボタン２５を押す時、ボタン２５がボタンロッド２４により移動板２６を連動させて下方へ移動させ、移動板２６が回転溝４３により回転ブロック４４を連動させて回転させ、回転ブロック４４が回転して補助ロッド４６を連動させて回転させ、補助ロッド４６が回転してチェットギヤ４８により連結ロッド４９を連動させて回転させ、連結ロッド４９が回転して回しロッド５０を連動させて回転させ、回しロッド５０が回転して回転盤２１を九十度回転させ、一つの挟持箱１７を吊りチャンバ１３の右側の開口まで送る。    
【００１３】
前記推し動かし機構７０は前記ネジ山チャンバ５１の両側に前後対称的に設置された推し動かしチャンバ２９を含み、前記推し動かしチャンバ２９の中には推し動かし板１６がスライドできるように装着され、前記推し動かし板１６が前記固定ブロック３７と固定的に連結され、前記推し動かし板１６の底部端面と前記推し動かしチャンバ２９の底壁との間には第三ばね２８が固定的に装着され、前記推し動かしチャンバ２９の下方には挿し溝３２が連通するように設置され、前記推し動かし板１６の底部端面には挿し板１５が固定的に装着され、前記挿し板１５が前記挿し溝３２とスライドできるように装着され、これによりクレヨンをクレヨンチャンバ３８の中に置く時、推し動かし板１６を下方へ推し動かして固定ブロック３７を連動させて移動させ、挟みブロック３４が第一ばね３３の弾力により弾き出され、クレヨンをクレヨンチャンバ３８の中に置いた後、推し動かし板１６を放することにより固定ブロック３７が上方へ移動し、前後の挟みブロック３４が互いに近づいてクレヨンをきつく挟む。
【００１４】
使用する時、ボタン２５を押し、ボタン２５がボタンロッド２４により移動板２６を連動させて下方へ移動させ、移動板２６が回転溝４３により回転ブロック４４を連動させて回転させ、回転ブロック４４が回転して補助ロッド４６を連動させて回転させ、補助ロッド４６が回転してチェットギヤ４８により連結ロッド４９を連動させて回転させ、連結ロッド４９が回転して回しロッド５０を連動させて回転させ、回しロッド５０が回転して回転盤２１を九十度回転させ、一つの挟持箱１７を吊りチャンバ１３の右側の開口まで送り、そして挟持箱１７を取り出し、クレヨンをクレヨンチャンバ３８の中に置く時、推し動かし板１６を下方へ推し動かして固定ブロック３７を連動させて移動させ、挟みブロック３４が第一ばね３３の弾力により弾き出され、クレヨンをクレヨンチャンバ３８の中に置いた後、推し動かし板１６を放することにより固定ブロック３７が上方へ移動し、前後の挟みブロック３４が互いに近づいてクレヨンをきつく挟み、クレヨンの先端を使い終わった後、つまみ１４を回転させてネジ山ロッド４２を連動させて回転させ、ネジ山ロッド４２が回転することにより推し動かしロッド３９が下方へ移動し、クレヨンを推し動かして下方へ移動させる。
【００１５】
本発明の有益効果は：本発明はクレヨンをクレヨンチャンバの中に置き、各色のクレヨンを別々に置くことができ、クレヨンの色が混ざることを避け、クレヨンを使用して絵を描く過程の中で、クレヨンがクレヨンチャンバの中に保護されるため、力を出しすぎるとクレヨンが折れる状況が発生せず、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183094.tif 000003
【図２】
2020183094.tif 000004
【図３】
2020183094.tif 000005
【図４】
2020183094.tif 000006
【手続補正書】
【提出日】令和1年12月20日(2019.12.20)
【手続補正１】
【補正対象書類名】特許請求の範囲
【補正対象項目名】請求項２
【補正方法】変更
【補正の内容】
【請求項２】
前記動力機構はまた前記ボタンチャンバの下方に設置された移動チャンバを含み、前記移動チャンバの中には移動板がスライドできるように装着され、前記ボタンの底部端面にはボタンロッドが固定的に装着され、前記ボタンロッドが前記移動板と固定的に連結され、前記移動板の底部端面と前記移動チャンバの底壁との間には第二ばねが固定的に装着され、前記移動チャンバの左側には補助チャンバが連通するように設置され、前記補助チャンバの下方にはラチェットギヤチャンバが設置され、前記補助チャンバの頂壁の中には前記ラチェットギヤチャンバの頂壁を貫通している補助ロッドが回転できるように装着され、前記補助ロッドには回転ブロックが固定的に装着され、前記回転ブロックの中には回転溝が設置され、前記回転溝が前記移動板とスライドできるように装着され、前記補助ロッドの底部端面にはチェットギヤが固定的に装着され、前記ラチェットギヤチャンバの下方には回転チャンバが設置され、前記チェットギヤの底部端面には前記回転チャンバの頂壁を貫通している連結ロッドが固定的に装着され、前記連結ロッドの底部端面には回しロッドが固定的に装着され、前記吊りロッドが上方へ伸びて前記回転チャンバの底壁を貫通しており、前記吊りロッドの頂部端面には回転盤が固定的に装着され、前記回転盤の中には四つの回転盤溝が設置され、前記回転盤溝が前記回しロッドの中でスライドできることを特徴とする請求項１に記載のクレヨンの挟持器。 
【手続補正２】
【補正対象書類名】明細書
【補正対象項目名】全文
【補正方法】変更
【補正の内容】
【発明の詳細な説明】
【技術分野】
【０００１】
本発明は挟持器分野を取り上げて、具体的にはクレヨンの挟持器である。 
【背景技術】
【０００２】
クレヨンを使用する過程の中で、いつも指が力を入れすぎるため、クレヨンが折られ、クレヨンの浪費をもたらし、しかも一般的なクレヨンケースが色とりどりのクレヨンを混ざって一緒に置き、クレヨンの色が混ざることをもたらす。 
【先行技術文献】
【特許文献】
【０００３】
【特許文献１】中国特許出願公開第１０４００２３０８号明細書
【発明の概要】
【発明が解決しようとする課題】
【０００４】
本発明はクレヨンの挟持器を提供し、従来技術における上記欠点を解消することを目的とする。 
【課題を解決するための手段】
【０００５】
本発明の実施例のクレヨンの挟持器は、箱主体を含み、前記箱主体の中には右方へ開口した吊りチャンバが設置され、前記吊りチャンバの底壁の中には吊りロッドが回転できるように装着され、前記吊りロッドには四つの第一吊りブロックが固定的に装着され、前記第一吊りブロックの中には第二吊りブロックがスライドできるように装着され、前記第二吊りブロックには挟持箱が固定的に装着され、前記挟持箱の中にはネジ山チャンバが設置され、前記ネジ山チャンバの中にはネジ山ブロックがスライドできるように装着され、前記ネジ山ブロックの中には上方へ開口したネジ山孔が設置され、前記ネジ山チャンバの頂壁の中にはネジ山ロッドが回転できるように装着され、前記ネジ山ロッドが前記ネジ山孔とネジ山により装着され、前記ネジ山ロッドの頂部端面にはつまみが固定的に装着され、前記ネジ山ブロックの底部端面にはクレヨンを推し動かすことができる推し動かしロッドが固定的に装着され、前記ネジ山チャンバの中の前記ネジ山ブロックの下方に位置しているところには固定ブロックがスライドできるように装着され、前記固定ブロックの中にはクレヨンを置くことができるクレヨンチャンバが設置され、前記固定ブロックの右側端面にはばねチャンバが前後対称的に設置され、前記ばねチャンバの中には連結ブロックがスライドできるように装着され、前記連結ブロックと前記ばねチャンバとの間には第一ばねが固定的に装着され、前記連結ブロックには挟みブロックが固定的に装着され、前側の前記挟みブロックの後側端面には引っ掛かりブロックが固定的に装着され、後側の前記挟みブロックの前側端面の中には引っ掛かり溝が設置され、前記引っ掛かりブロックが前記引っ掛かり溝の中に引っ掛かることができ、前後の前記挟みブロックはクレヨンをきつく挟むことができ、クレヨンの滑り落ちることを防止し、クレヨンの先端を使い終わった後、つまみを回転させてネジ山ロッドを連動させて回転させ、ネジ山ロッドが回転することにより推し動かしロッドが下方へ移動し、クレヨンを推し動かして下方へ移動させ、前記挟持箱の中にはまた前記固定ブロックを推し動かして移動させることができる推し動かし機構が設置され、前記箱主体の中にはまた前記吊りロッドの回転に動力を提供できる動力機構が設置され、前記動力機構は前記箱主体の頂部端面の中に設置されたボタンチャンバを含み、前記ボタンチャンバの中にはボタンがスライドできるように装着され、前記ボタンを押して前記吊りロッドの回転に動力を提供する。 
【０００６】
更の技術プランとしては、前記動力機構はまた前記ボタンチャンバの下方に設置された移動チャンバを含み、前記移動チャンバの中には移動板がスライドできるように装着され、前記ボタンの底部端面にはボタンロッドが固定的に装着され、前記ボタンロッドが前記移動板と固定的に連結され、前記移動板の底部端面と前記移動チャンバの底壁との間には第二ばねが固定的に装着され、前記移動チャンバの左側には補助チャンバが連通するように設置され、前記補助チャンバの下方にはラチェットギヤチャンバが設置され、前記補助チャンバの頂壁の中には前記ラチェットギヤチャンバの頂壁を貫通している補助ロッドが回転できるように装着され、前記補助ロッドには回転ブロックが固定的に装着され、前記回転ブロックの中には回転溝が設置され、前記回転溝が前記移動板とスライドできるように装着され、前記補助ロッドの底部端面にはチェットギヤが固定的に装着され、前記ラチェットギヤチャンバの下方には回転チャンバが設置され、前記チェットギヤの底部端面には前記回転チャンバの頂壁を貫通している連結ロッドが固定的に装着され、前記連結ロッドの底部端面には回しロッドが固定的に装着され、前記吊りロッドが上方へ伸びて前記回転チャンバの底壁を貫通しており、前記吊りロッドの頂部端面には回転盤が固定的に装着され、前記回転盤の中には四つの回転盤溝が設置され、前記回転盤溝が前記回しロッドの中でスライドできる。 
【０００７】
更の技術プランとしては、前記推し動かし機構は前記ネジ山チャンバの両側に前後対称的に設置された推し動かしチャンバを含み、前記推し動かしチャンバの中には推し動かし板がスライドできるように装着され、前記推し動かし板が前記固定ブロックと固定的に連結され、前記推し動かし板の底部端面と前記推し動かしチャンバの底壁との間には第三ばねが固定的に装着され、前記推し動かしチャンバの下方には挿し溝が連通するように設置され、前記推し動かし板の底部端面には挿し板が固定的に装着され、前記挿し板が前記挿し溝とスライドできるように装着されている。 
【発明の効果】
【０００８】
本発明の有益効果は：本発明はクレヨンをクレヨンチャンバの中に置き、各色のクレヨンを別々に置くことができ、クレヨンの色が混ざることを避け、クレヨンを使用して絵を描く過程の中で、クレヨンがクレヨンチャンバの中に保護されるため、力を出しすぎるとクレヨンが折れる状況が発生せず、普及する価値がある。 
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１０】
【図１】図１は本発明の構成模式図
【図２】図２は図１の中のＡ−Ａ方向の断面構成模式図
【図３】図３は図１の中のＢの拡大模式図
【図４】図４は図２の中のＣ−Ｃ方向の断面構成模式図
【発明を実施するための形態】
【００１１】
図１〜４を参照し、本発明の実施例のクレヨンの挟持器は、箱主体１１を含み、前記箱主体１１の中には右方へ開口した吊りチャンバ１３が設置され、前記吊りチャンバ１３の底壁の中には吊りロッド２０が回転できるように装着され、前記吊りロッド２０には四つの第一吊りブロック１８が固定的に装着され、前記第一吊りブロック１８の中には第二吊りブロック１９がスライドできるように装着され、前記第二吊りブロック１９には挟持箱１７が固定的に装着され、前記挟持箱１７の中にはネジ山チャンバ５１が設置され、前記ネジ山チャンバ５１の中にはネジ山ブロック４１がスライドできるように装着され、前記ネジ山ブロック４１の中には上方へ開口したネジ山孔４０が設置され、前記ネジ山チャンバ５１の頂壁の中にはネジ山ロッド４２が回転できるように装着され、前記ネジ山ロッド４２が前記ネジ山孔４０とネジ山により装着され、前記ネジ山ロッド４２の頂部端面にはつまみ１４が固定的に装着され、前記ネジ山ブロック４１の底部端面にはクレヨンを推し動かすことができる推し動かしロッド３９が固定的に装着され、前記ネジ山チャンバ５１の中の前記ネジ山ブロック４１の下方に位置しているところには固定ブロック３７がスライドできるように装着され、前記固定ブロック３７の中にはクレヨンを置くことができるクレヨンチャンバ３８が設置され、前記固定ブロック３７の右側端面にはばねチャンバ３１が前後対称的に設置され、前記ばねチャンバ３１の中には連結ブロック３０がスライドできるように装着され、前記連結ブロック３０と前記ばねチャンバ３１との間には第一ばね３３が固定的に装着され、前記連結ブロック３０には挟みブロック３４が固定的に装着され、前側の前記挟みブロック３４の後側端面には引っ掛かりブロック３５が固定的に装着され、後側の前記挟みブロック３４の前側端面の中には引っ掛かり溝３６が設置され、前記引っ掛かりブロック３５が前記引っ掛かり溝３６の中に引っ掛かることができ、前後の前記挟みブロック３４はクレヨンをきつく挟むことができ、クレヨンの滑り落ちることを防止し、クレヨンの先端を使い終わった後、つまみ１４を回転させてネジ山ロッド４２を連動させて回転させ、ネジ山ロッド４２が回転することにより推し動かしロッド３９が下方へ移動し、クレヨンを推し動かして下方へ移動させ、前記挟持箱１７の中にはまた前記固定ブロック３７を推し動かして移動させることができる推し動かし機構７０が設置され、前記箱主体１１の中にはまた前記吊りロッド２０の回転に動力を提供できる動力機構８０が設置され、前記動力機構８０は前記箱主体１１の頂部端面の中に設置されたボタンチャンバ２３を含み、前記ボタンチャンバ２３の中にはボタン２５がスライドできるように装着され、前記ボタン２５を押して前記吊りロッド２０の回転に動力を提供する。 
【００１２】
前記動力機構８０はまた前記ボタンチャンバ２３の下方に設置された移動チャンバ２２を含み、前記移動チャンバ２２の中には移動板２６がスライドできるように装着され、前記ボタン２５の底部端面にはボタンロッド２４が固定的に装着され、前記ボタンロッド２４が前記移動板２６と固定的に連結され、前記移動板２６の底部端面と前記移動チャンバ２２の底壁との間には第二ばね２７が固定的に装着され、前記移動チャンバ２２の左側には補助チャンバ４５が連通するように設置され、前記補助チャンバ４５の下方にはラチェットギヤチャンバ４７が設置され、前記補助チャンバ４５の頂壁の中には前記ラチェットギヤチャンバ４７の頂壁を貫通している補助ロッド４６が回転できるように装着され、前記補助ロッド４６には回転ブロック４４が固定的に装着され、前記回転ブロック４４の中には回転溝４３が設置され、前記回転溝４３が前記移動板２６とスライドできるように装着され、前記補助ロッド４６の底部端面にはチェットギヤ４８が固定的に装着され、前記ラチェットギヤチャンバ４７の下方には回転チャンバ１２が設置され、前記チェットギヤ４８の底部端面には前記回転チャンバ１２の頂壁を貫通している連結ロッド４９が固定的に装着され、前記連結ロッド４９の底部端面には回しロッド５０が固定的に装着され、前記吊りロッド２０が上方へ伸びて前記回転チャンバ１２の底壁を貫通しており、前記吊りロッド２０の頂部端面には回転盤２１が固定的に装着され、前記回転盤２１の中には四つの回転盤溝５２が設置され、前記回転盤溝５２が前記回しロッド５０の中でスライドでき、ボタン２５を押す時、ボタン２５がボタンロッド２４により移動板２６を連動させて下方へ移動させ、移動板２６が回転溝４３により回転ブロック４４を連動させて回転させ、回転ブロック４４が回転して補助ロッド４６を連動させて回転させ、補助ロッド４６が回転してチェットギヤ４８により連結ロッド４９を連動させて回転させ、連結ロッド４９が回転して回しロッド５０を連動させて回転させ、回しロッド５０が回転して回転盤２１を九十度回転させ、一つの挟持箱１７を吊りチャンバ１３の右側の開口まで送る。 
【００１３】
前記推し動かし機構７０は前記ネジ山チャンバ５１の両側に前後対称的に設置された推し動かしチャンバ２９を含み、前記推し動かしチャンバ２９の中には推し動かし板１６がスライドできるように装着され、前記推し動かし板１６が前記固定ブロック３７と固定的に連結され、前記推し動かし板１６の底部端面と前記推し動かしチャンバ２９の底壁との間には第三ばね２８が固定的に装着され、前記推し動かしチャンバ２９の下方には挿し溝３２が連通するように設置され、前記推し動かし板１６の底部端面には挿し板１５が固定的に装着され、前記挿し板１５が前記挿し溝３２とスライドできるように装着され、これによりクレヨンをクレヨンチャンバ３８の中に置く時、推し動かし板１６を下方へ推し動かして固定ブロック３７を連動させて移動させ、挟みブロック３４が第一ばね３３の弾力により弾き出され、クレヨンをクレヨンチャンバ３８の中に置いた後、推し動かし板１６を放することにより固定ブロック３７が上方へ移動し、前後の挟みブロック３４が互いに近づいてクレヨンをきつく挟む。 
【００１４】
使用する時、ボタン２５を押し、ボタン２５がボタンロッド２４により移動板２６を連動させて下方へ移動させ、移動板２６が回転溝４３により回転ブロック４４を連動させて回転させ、回転ブロック４４が回転して補助ロッド４６を連動させて回転させ、補助ロッド４６が回転してチェットギヤ４８により連結ロッド４９を連動させて回転させ、連結ロッド４９が回転して回しロッド５０を連動させて回転させ、回しロッド５０が回転して回転盤２１を九十度回転させ、一つの挟持箱１７を吊りチャンバ１３の右側の開口まで送り、そして挟持箱１７と第二吊りブロック１９を同時に取り出し、クレヨンをクレヨンチャンバ３８の中に置く時、推し動かし板１６を下方へ推し動かして固定ブロック３７を連動させて移動させ、挟みブロック３４が第一ばね３３の弾力により弾き出され、クレヨンをクレヨンチャンバ３８の中に置いた後、推し動かし板１６を放することにより固定ブロック３７が上方へ移動し、前後の挟みブロック３４が互いに近づいてクレヨンをきつく挟み、クレヨンの先端を使い終わった後、つまみ１４を回転させてネジ山ロッド４２を連動させて回転させ、ネジ山ロッド４２が回転することにより推し動かしロッド３９が下方へ移動し、クレヨンを推し動かして下方へ移動させる。 
【００１５】
本発明の有益効果は：本発明はクレヨンをクレヨンチャンバの中に置き、各色のクレヨンを別々に置くことができ、クレヨンの色が混ざることを避け、クレヨンを使用して絵を描く過程の中で、クレヨンがクレヨンチャンバの中に保護されるため、力を出しすぎるとクレヨンが折れる状況が発生せず、普及する価値がある。 
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。